(57)【要約】  取付部の付け根付近が補強された、成形の容易なＥＡ材を提供するものであり、硬質ウレタンフォームなどの発泡樹脂よりなる盤状の本体部２１と、該本体部２１の側面から張り出す取付部２２とを有するＥＡ材２０の取付部２２内に補強片２３を埋設し、この補強片２３を、取付部２２から本体部２１内にまで延在させている。取付部２２には、ＥＡ材２０を心材等に取り付けるための取付孔２４が設けられている。この取付孔２４は、補強片２３を貫くようにして取付部２２を厚み方向に貫通している。
2009019938.tif 000002
【特許請求の範囲】
【請求項１】
一体に成形された樹脂発泡体よりなる本体部及び、該本体部の側面から突出する取付部を有するＥＡ材において、
該取付部内に補強片が設けられ、該補強片が該本体部内にまで延在していることを特徴とするＥＡ材。
【請求項２】
請求項１において、前記取付部に取付孔が貫通しており、該取付孔が前記補強片を貫通していることを特徴とするＥＡ材。
【請求項３】
請求項２において、前記補強片に、前記取付孔の内周面を形成する筒部が設けられていることを特徴とするＥＡ材。
【請求項４】
請求項３において、該筒部の内周面に凸部が設けられていることを特徴とするＥＡ材。
【請求項５】
請求項４において、該凸部は、該筒部の内周面に周設された凸条であることを特徴とするＥＡ材。
【請求項６】
請求項３ないし５のいずれか１項において、前記補強片は、互いに略平行な１対のプレートと、これらプレート同士を繋ぐ前記筒部とを具えていることを特徴とするＥＡ材。
【請求項７】
請求項１ないし６のいずれか１項において、前記補強片は金属又は合成樹脂よりなることを特徴とするＥＡ材。
【発明の詳細な説明】
【技術分野】
【０００１】
本発明は、ＥＡ材（衝撃エネルギー吸収材）に係り、特に自動車のトリムに適用するのに好適なＥＡ材に関するものである。
【背景技術】
【０００２】
自動車のドアトリム、ボディサイドトリム等には、側面衝突（側突）時の衝撃エネルギーの吸収（Ｅｎｅｒｇｙ  Ａｂｓｏｒｐｔｉｏｎ：ＥＡ）のために、たとえばパッド材として硬質ウレタンよりなるＥＡ材が用いられている。
ドアトリムパッド材としての硬質ウレタン製ＥＡ材を取り付ける方法として、特許文献１には、第６図に示す構造が記載されている。第６図は、同特許文献の図１に記載されたＥＡ材の取付構造を示す断面図である。【０００３】
この従来例では、硬質ウレタンフォームよりなるＥＡ材１は、本体部１ｂと、該本体部１ｂの側面から突設された取付部としての張出部１ａとを有する。この張出部１ａにクリップ２が一体に設けられている。このＥＡ材１を心材５に取り付けるには、心材５から突設された円柱状の突起６が該クリップ２に内挿されるようにしてＥＡ材１を心材５に重ね合わせる。この突起６は、ポリエチレン、ポリプロピレン等の熱可塑性樹脂よりなる。次いで、突起６の先端に溶融治具（図示略）を押し当て、突起６の先端を略円盤状に拡径させてフランジ状押え部６ａを形成する。これにより、ＥＡ材１が心材５に固定される。【０００４】
また、張出部１ａの代わりに、別体構造になる取付プレートを設けたＥＡ材が特許文献２に記載されている。
第７図（ａ）は同文献の図１に示されるＥＡ材の斜視図であり、第７図（ｂ）は第７図（ａ）のＢ−Ｂ線に沿う断面図である。【０００５】
硬質ウレタンフォーム等よりなるＥＡ材本体１２の側面から取付部として３枚の取付プレート１３が突設されている。この取付プレート１３は、ＥＡ材本体１２の発泡成形時に金型に取り付けておくことにより、ＥＡ材本体１２と一体化される。取付プレート１３は、ウレタン樹脂、ナイロン、フェルトプレス、鉄などよりなる。各取付プレート１３の先端側には開口１４が板厚み方向に貫設されている。【０００６】
このＥＡ材１１も前記第６図に示すものと同様にして心材に取り付けられる。
即ち、このＥＡ材１１を心材５に取り付けるには、第６図と同様に、心材から突設された円柱状の突起が該開口１４に内挿されるようにしてＥＡ材本体１２の後面を心材に重ね合わせ、次いで、突起の先端に溶融治具（図示略）を押し当て、突起の先端を略円盤状に拡径させてフランジ状押え部を形成する。これにより、ＥＡ材１１が心材に固定される。
【特許文献１】特開２００５−２０７５２４
【特許文献２】特開２００６−２２８９８
【発明の開示】
【発明が解決しようとする課題】
【０００７】
上記特許文献１に記載されたＥＡ材にあっては、張出部１ａの付け根付近に応力が集中し易い強度上のうれいがあり、また、特許文献２に記載されたＥＡ材にあっては、取付プレート１３が本体部１２から抜け易い一方で、取付プレート１３の突出端側が硬質ウレタンフォームで覆われずに露出しているため、成形しにくいという短所がある。
即ち、第７図のＥＡ材１１を成形する場合は、取付プレート１３の突出端側を金型の上型と下型とで挟持しておき、取付プレートの基端側を金型のキャビティ内に突出させた状態でウレタンの発泡成形を行うのであるが、上型及び下型の寸法誤差のために取付プレートの挟持が緩くなり、取付プレート１３の突出端側（露呈している部分）にウレタンがバリ状にはみ出し易い。【０００８】
本発明は、上記従来の問題点を解決するものであり、取付部の付け根付近が十分に補強された、成形が容易なＥＡ材を提供することを目的とするものである。
【課題を解決するための手段】
【０００９】
この発明のＥＡ材は、一体に成形された樹脂発泡体よりなる本体部及び、該本体部の側面から突出する取付部を有するものであって、該取付部内に補強片が設けられ、該補強片が該本体部内にまで延在していることを特徴とするものである。【００１０】
ここで好ましくは、前記取付部に取付孔が貫通しており、該取付孔が、前記補強片をも貫通しているものとする。【００１１】
そしてこの場合は、前記補強片に、前記取付孔の内周面を形成する筒部が設けられていることが好ましい。【００１２】
さらに、該筒部の内周面には凸部が設けられていることがより好ましい。【００１３】
そしてまた、上記凸部は、該筒部の内周面に周設された凸条であることが一層好ましい。【００１４】
ところで、前記補強片は、互いに略平行な１対のプレートと、これらプレート同士を繋ぐ前記筒部とを具えるものであることが好ましい。【００１５】
以上に述べたところにおいて、前記補強片は金属又は合成樹脂よりなるものであることが好ましい。
【発明の効果】
【００１６】
本発明のＥＡ材にあっては、取付部内に設けられた補強片が本体部内にまで延在しているので、取付部の付け根付近の強度が高い。また、このＥＡ材は、補強片が取付部に埋設されるように設けられるため、成形も容易である。【００１７】
このＥＡ材をトリム等のパッド材として、心材その他に取り付けるためには、それの取付部に取付孔が設けられていることが好ましく、この取付孔が補強片を貫通することにより、ＥＡ材の心材等の部材への取付強度が向上することになる。【００１８】
そして、その補強片に、取付孔の内周面を形成する筒部を設けておくと、心材側の突起などの取付具を取付孔内に挿入し易くなる。また、この筒部に、周回凸条などの凸部を設けておくと、ＥＡ材成形用金型に設けたピンなどで補強片をしっかりと保持しておくことができる。
【図面の簡単な説明】
【００１９】
【図１】（ａ）は第１の実施の形態に係るＥＡ材の厚み方向の断面図、（ｂ）は、このＥＡ材の補強片の斜視図、（ｃ）はＥＡ材の成形用金型の一部の断面図である。
【図２】（ａ）は第２の実施の形態で用いられる補強片の平面図、（ｂ）はこの補強片の側面図、（ｃ）はこの補強片の斜視図である。
【図３】（ａ）は第２図（ｂ）のIII−III線に沿う拡大断面図、（ｂ）は第３図（ａ）のＢ部分の拡大図である。
【図４】第２の実施の形態に係るＥＡ材の斜視図である。
【図５】第４図のＶ−Ｖ線に沿う拡大断面図である。
【図６】従来例を示す断面図である。
【図７】（ａ）は別の従来例を示す斜視図、（ｂ）は（ａ）のＢ−Ｂ線断面図である。
【符号の説明】
【００２０】
２０，３０  ＥＡ材
２１，３１  本体部
２２，３２  取付部
２３，４０  補強片
２４，３４  取付孔
２６  金型
２９  キャビティ
４１  上プレート
４２  下プレート
４３  円筒部
４３ａ  凸条
４４  リブ部
【発明を実施するための最良の形態】
【００２１】
以下、第１図〜第４図を参照して、ＥＡ材の実施の形態について説明する。【００２２】
第１図（ａ）は第１の実施の形態に係るＥＡ材の厚み方向の断面図、第１図（ｂ）は、このＥＡ材の補強片の斜視図、第１図（ｃ）はＥＡ材の成形用金型の一部の断面図である。第２図〜第５図は第２の実施の形態に用いられる補強片の説明図である。【００２３】
第１図に示すＥＡ材２０は、それぞれ硬質ウレタンフォームなどの発泡樹脂よりなる盤状、すなわち、平たい台状の本体部２１と、該本体部２１の側面から張り出す取付部２２とを有してなり、この取付部２２内に補強片２３を埋設してなる。
この補強片２３は、取付部２２から本体部２１内にまで延在している。なお、第１図（ａ）の左側の取付部２２と右側の取付部２２とは別体物であるが、それらは一連一体であってもよい。【００２４】
取付部２２には、このＥＡ材２０を心材等に取り付けるための取付孔２４が設けられている。この取付孔２４は、補強片２３を貫くようにして取付部２２を厚み方向に貫通している。この取付孔２４の入口側部分は、奥側ほど小径となるテーパ形となっている。
補強片２３の、本体部２１からの突出端側に、この取付孔２４と同軸状に開口２３ａが設けられている。【００２５】
補強片２３の基端側には開口２３ｂが設けられている。この開口２３ｂを設けたことにより、補強片２３よりも上側のウレタンフォームと下側のウレタンフォームとが開口２３ｂを介して一体化する。これにより、補強片２３とウレタンフォームとの一体性が向上する。
補強片２３としては、硬質合成樹脂や、アルミ等の金属が好適であるが、ウレタンフォームとなじみのよい種類の硬質合成樹脂が好適である。【００２６】
このＥＡ材２０も、前記第６図に示すものと同様にして心材等に取り付けられる。
即ち、心材（第1図では図示略）から突設された円柱状の突起が該取付孔２４に内挿されるようにしてＥＡ材２０を心材に重ね合わせる。この突起は、ポリエチレン、ポリプロピレン等の熱可塑性樹脂よりなる。次いで、突起の先端に溶融治具（図示略）を押し当て、突起の先端を略円盤状に拡径させてフランジ状押え部を形成する。これにより、ＥＡ材２０が心材に固定される。ただし、スタッドボルトや、各種形状のクリップによってＥＡ材２０を心材に取り付けることも可能である。【００２７】
このＥＡ材２０にあっては、補強片２３が取付部２２から本体部２１にまで連続して延在しているので、取付部２２の付け根付近（基端側）に応力が集中しても、付け根付近に亀裂や断裂等は生じることがない。
なお、この場合、補強片２３の全長の２０〜５０％程度が本体部２１内に配置されることが望ましい。【００２８】
このＥＡ材２０は、補強片２３を、第1図（ｃ）に示すように金型２６にセットしておき、キャビティ２９内にてウレタン原液を発泡させることにより成形することができる。
この金型２６は、下型２７及び上型２８を備えており、下型２７及び上型２８からそれぞれテーパ形のピン２７ａ，２８ａが突設されている。これらのピン２７ａ，２８ａの先端を補強片２３の開口２３ａに挿入することにより、補強片２３がキャビティ２９内に保持される。なお、開口２３ａに差し込まれるピン２７ａ，２８ａの先端側は、ストレートな円柱状となっている。【００２９】
このように補強片２３の全体が金型２６内に配置され、ＥＡ材は、補強片２３を鋳ぐるむように成形されるので、ウレタンが補強片２３の露呈部へバリ状にはみ出すということがない。【００３０】
第２図〜第５図を参照して第２の実施の形態について説明する。
第２図（ａ）は第２の実施の形態で用いられる補強片の平面図、第２図（ｂ）はこの補強片の側面図、第２図（ｃ）はこの補強片の斜視図である。第３図（ａ）は第２図（ｂ）のIII−III線に沿う拡大断面図、第３図（ｂ）は第３図（ａ）のＢ部分の拡大図である。第４図は第２の実施の形態に係るＥＡ材の斜視図、第５図は第４図のＶ−Ｖ線に沿う拡大断面図である。【００３１】
第４，５図の通り、このＥＡ材３０も、一体に成形された硬質ウレタンフォームよりなる盤状の本体部３１と、本体部３１の側面から突設された取付部３２とを有し、この取付部３２から本体部３１内にまで延在するように補強片４０が埋設されている。取付部３２には、補強片４０を貫通して取付孔３４が設けられている。【００３２】
この補強片４０は、第２，３図の通り、互いに平行な上プレート４１及び下プレート４２と、これら上プレート４１と下プレート４２とを繋ぐように設けられた円筒部４３及びリブ部４４とを有している。上プレート４１及び下プレート４２は、平面視形状が細長い涙滴形状のプレートであり、幅の広い先端側に開口４１ａ，４２ａが設けられている。
円筒部４３はこれらの開口４１ａ，４２ａと同軸かつ同径に設けられている。この円筒部４３の筒軸方向の中間部に、内周面を周回する凸条４３ａが設けられている。この凸条４３ａは、幅０．３〜０．８ｍｍ程度、内周面からの隆起高さが０．１〜０．２ｍｍ程度のものである。【００３３】
リブ部４４は、一端がこの円筒部４３に連なり、他端が上プレート４１及び下プレート４２の基端側の端部にまで延在する平板状である。このリブ部４４には、リブ部４４の両側のウレタンフォームを連続させるための開口４４ａが設けられている。
図示はしないが、同様の開口は上プレート４１、下プレート４２にも設けてもよい。【００３４】
なお、この補強片４０も、全長の２０〜５０％程度が本体部３１内に配置されることが望ましい。【００３５】
このように構成されたＥＡ材３０も、前記第６図と同様にして心材等の部材に取り付けることができる。【００３６】
このＥＡ材３０も、取付部３２から本体部３１にかけて補強片４が連続して埋設されており、取付部３２の強度が高い。
また、補強片４０はウレタンフォーム内部に埋設されており、ウレタンが補強片の露呈部にバリ状にはみ出すこともない。【００３７】
このＥＡ材３０も前記ＥＡ材２０と同様の金型を用いて成形することができる。
この場合、補強片４０の円筒部４３の内周面に凸条４３ａが周設されているので、下型のピンを円筒部４３に差し込み、且つ凸条４３ａに押し込むことにより、補強片４０をガタツキなしに保持することができる。なお、ピンの直径は円筒部４３の凸条４３ａ以外の部分の内径よりも小さく、凸条４３ａの位置における円筒部４３の内径よりも大きいものとする。【００３８】
この補強片４０の上プレート４１と下プレート４２との間にウレタンフォームが入り込むので、ＥＡ材３０のウレタンフォームと補強片４０との一体性が高い。【００３９】
上記実施の形態は本発明の一例であり、本発明は図示以外の形態をもとりうる。例えば、凸条４３ａは、２条以上設けられてもよい。また、凸条４３ａは、内周面全周にわたって周回するのではなく、途中で途切れていてもよい。【００４０】
本発明のＥＡ材は、ウレタン以外の樹脂にて成形されてもよい。本発明のＥＡ材は、心材以外の部材に取り付けられてもよい。
【図１】
2009019938.tif 000003
【図２】
2009019938.tif 000004
【図３】
2009019938.tif 000005
【図４】
2009019938.tif 000006
【図５】
2009019938.tif 000007
【図６】
2009019938.tif 000008
【図７】
2009019938.tif 000009
【国際調査報告】
2009019938.tif 000010
2009019938.tif 000011
2009019938.tif 000012
2009019938.tif 000013